【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】
画像データを圧縮符号化する画像処理装置であって、
入力された画像データを第１の圧縮率に対応する圧縮パラメータで圧縮する第１の圧縮手段と、
前記第１の圧縮手段により生成された符号化データを復号し、再圧縮する第２の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに変更した後、後続して入力される画像データを該第１の圧縮手段に圧縮させ、
前記第１の圧縮手段により従前に生成された符号化データを、前記第１の圧縮率よりも高い第２の圧縮率に対応する圧縮パラメータで、前記第２の圧縮手段により再圧縮させ、
該再圧縮で得られた符号化データを、前記第１の圧縮手段に適用する圧縮パラメータを更新した後の該第１の圧縮手段により生成された符号化データとして保存させ、
前記圧縮パラメータを更新した後で前記第１の圧縮手段により生成された符号化データを、後続の符号化データとして保存させる制御手段と
を備えることを特徴とする画像処理装置。
【請求項２】
前記第１及び第２の圧縮手段に適用する圧縮パラメータは、各圧縮手段で実行する量子化処理において用いる量子化ステップであることを特徴とする請求項１に記載の画像処理装置。
【請求項３】
前記第１の圧縮手段で生成した符号化データは、第１、第２のメモリに同時に書き込まれ、
前記制御手段は、前記監視手段によって設定値に達すると判断した場合、前記第１のメモリをクリアすると共に、前記第２のメモリに格納されている符号化データを前記第２の圧縮手段で再圧縮させ、得られた符号化データを前記第１のメモリに格納することを特徴とする請求項１に記載の画像処理装置。
【請求項４】
画像データを圧縮符号化する画像処理装置の制御方法であって、
入力された画像データを第１の圧縮率に対応する圧縮パラメータで圧縮する第１の圧縮工程と、
前記第１の圧縮工程により生成された符号化データを復号し、再圧縮する第２の圧縮工程と、
前記第１の圧縮工程により生成される符号化データ量を監視し、該符号化データ量が設定値に達するか否かを判断する監視工程と、
該監視工程によって前記符号化データ量が設定値に達すると判断した場合に、
前記第１の圧縮工程に適用する圧縮パラメータを前記第１の圧縮率よりも高い第２の圧縮率に対応する圧縮パラメータに変更した後、後続して入力される画像データを該第１の圧縮工程に圧縮させ、
前記第１の圧縮工程により従前に生成された符号化データを、前記第１の圧縮率よりも高い第２の圧縮率に対応する圧縮パラメータで、前記第２の圧縮工程により再圧縮させ、
該再圧縮で得られた符号化データを、前記第１の圧縮工程に適用する圧縮パラメータを更新した後の該第１の圧縮工程により生成された符号化データとして保存させ、
前記圧縮パラメータを更新した後で前記第１の圧縮工程により生成された符号化データを、後続の符号化データとして保存させる制御工程と
を備えることを特徴とする画像処理装置の制御方法。
【請求項５】
コンピュータが読込み実行することで、画像データを圧縮符号化する画像処理装置として機能するコンピュータプログラムであって、
入力された画像データを第１の圧縮率に対応する圧縮パラメータで圧縮する第１の圧縮手段と、
前記第１の圧縮手段により生成された符号化データを復号し、再圧縮する第２の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに変更した後、後続して入力される画像データを該第１の圧縮手段に圧縮させ、
前記第１の圧縮手段により従前に生成された符号化データを、前記第１の圧縮率よりも高い第２の圧縮率に対応する圧縮パラメータで、前記第２の圧縮手段により再圧縮させ、
該再圧縮で得られた符号化データを、前記第１の圧縮手段に適用する圧縮パラメータを更新した後の該第１の圧縮手段により生成された符号化データとして保存させ、
前記圧縮パラメータを更新した後で前記第１の圧縮手段により生成された符号化データを、後続の符号化データとして保存させる制御手段
として機能することを特徴とするコンピュータプログラム。
【請求項６】
請求項５に記載のコンピュータプログラムを格納したことを特徴とするコンピュータ可読記憶媒体。
【請求項７】
画像データを圧縮符号化する画像処理装置であって、
入力された画像データを第１の圧縮率に対応する圧縮パラメータで圧縮する第１の圧縮手段と、
入力された画像データを第１の圧縮率より高い第２の圧縮率に対応する圧縮パラメータで圧縮する第２の圧縮手段と、
前記第２の圧縮手段により生成された符号化データを復号し、再圧縮する第３の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに変更した後、後続して入力される画像データを該第１の圧縮手段に圧縮させ、
前記第２の圧縮手段に適用する圧縮パラメータを前記第２の圧縮率よりも高い第３の圧縮率に対応する圧縮パラメータに変更した後、後続して入力される画像データを該第２の圧縮手段に圧縮させ、
前記第２の圧縮手段により従前に生成された符号化データを、圧縮パラメータを更新した後の前記第１の圧縮手段で生成された符号化データとして保存させ、
前記第２の圧縮手段により従前に生成された符号化データを、前記第２の圧縮率よりも高い第３の圧縮率に対応する圧縮パラメータで、第３の圧縮手段により再圧縮させ、
当該第３の圧縮手段で生成された符号化データを、圧縮パラメータを更新した後の前記第２の符号化手段で生成された符号化データとして保存させ、
前記圧縮パラメータを更新した後に前記第１の圧縮手段により生成された符号化データを、後続の符号化データとして保存させる制御手段と
を備えることを特徴とする画像処理装置。
【請求項８】
前記第１乃至第３の圧縮手段に適用する圧縮パラメータは、各圧縮手段で実行する量子化処理において用いる量子化ステップであることを特徴とする請求項７に記載の画像処理装置。
【請求項９】
画像データを圧縮符号化する画像処理装置の制御方法であって、
入力された画像データを第１の圧縮率に対応する圧縮パラメータで圧縮する第１の圧縮工程と、
入力された画像データを第１の圧縮率より高い第２の圧縮率に対応する圧縮パラメータで圧縮する第２の圧縮工程と、
前記第２の圧縮工程により生成された符号化データを復号し、再圧縮する第３の圧縮工程と、
前記第１の圧縮工程により生成される符号化データ量を監視し、該符号化データ量が設定値に達するか否かを判断する監視工程と、
該監視工程によって前記符号化データ量が設定値に達すると判断した場合に、
前記第１の圧縮工程に適用する圧縮パラメータを前記第１の圧縮率よりも高い第２の圧縮率に対応する圧縮パラメータに変更した後、後続して入力される画像データを該第１の圧縮工程に圧縮させ、
前記第２の圧縮工程に適用する圧縮パラメータを前記第２の圧縮率よりも高い第３の圧縮率に対応する圧縮パラメータに変更した後、後続して入力される画像データを該第２の圧縮工程に圧縮させ、
前記第２の圧縮工程により従前に生成された符号化データを、圧縮パラメータを更新した後の前記第１の圧縮工程で生成された符号化データとして保存させ、
前記第２の圧縮工程により従前に生成された符号化データを、前記第２の圧縮率よりも高い第３の圧縮率に対応する圧縮パラメータで、第３の圧縮工程により再圧縮させ、
当該第３の圧縮工程で生成された符号化データを、圧縮パラメータを更新した後の前記第２の符号化工程で生成された符号化データとして保存させ、
前記圧縮パラメータを更新した後に前記第１の圧縮工程により生成された符号化データを、後続の符号化データとして保存させる制御工程と
を備えることを特徴とする画像処理装置の制御方法。
【請求項１０】
コンピュータが読込み実行することで、画像データを圧縮符号化する画像処理装置として機能するコンピュータプログラムであって、
入力された画像データを第１の圧縮率に対応する圧縮パラメータで圧縮する第１の圧縮手段と、
入力された画像データを第１の圧縮率より高い第２の圧縮率に対応する圧縮パラメータで圧縮する第２の圧縮手段と、
前記第２の圧縮手段により生成された符号化データを復号し、再圧縮する第３の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに変更した後、後続して入力される画像データを該第１の圧縮手段に圧縮させ、
前記第２の圧縮手段に適用する圧縮パラメータを前記第２の圧縮率よりも高い第３の圧縮率に対応する圧縮パラメータに変更した後、後続して入力される画像データを該第２の圧縮手段に圧縮させ、
前記第２の圧縮手段により従前に生成された符号化データを、圧縮パラメータを更新した後の前記第１の圧縮手段で生成された符号化データとして保存させ、
前記第２の圧縮手段により従前に生成された符号化データを、前記第２の圧縮率よりも高い第３の圧縮率に対応する圧縮パラメータで、第３の圧縮手段により再圧縮させ、
当該第３の圧縮手段で生成された符号化データを、圧縮パラメータを更新した後の前記第２の符号化手段で生成された符号化データとして保存させ、
前記圧縮パラメータを更新した後に前記第１の圧縮手段により生成された符号化データを、後続の符号化データとして保存させる制御手段
として機能することを特徴とするコンピュータプログラム。
【請求項１１】
請求項１０に記載のコンピュータプログラムを格納したことを特徴とするコンピュータ可読記憶媒体。
【請求項１２】
前記設定値は、入力される画像データに相当する原稿サイズに基づいて選択されることを特徴とする請求項１または７に記載の画像処理装置。
【請求項１３】
前記設定値は、ユーザによりＧＵＩを介して設定されることを特徴とする請求項１または７に記載の画像処理装置。
【手続補正２】
【補正対象書類名】明細書
【補正対象項目名】００１０
【補正方法】変更
【補正の内容】
【００１０】
【課題を解決するための手段】
かかる課題を解決するため、例えば本発明の画像処理装置は以下の構成を備える。すなわち、
画像データを圧縮符号化する画像処理装置であって、
入力された画像データを第１の圧縮率に対応する圧縮パラメータで圧縮する第１の圧縮手段と、
前記第１の圧縮手段により生成された符号化データを復号し、再圧縮する第２の圧縮手段と、
前記第１の圧縮手段により生成される符号化データ量を監視し、該符号化データ量が設定値に達するか否かを判断する監視手段と、
該監視手段によって前記符号化データ量が設定値に達すると判断した場合に、
前記第１の圧縮手段に適用する圧縮パラメータを前記第１の圧縮率よりも高い第２の圧縮率に対応する圧縮パラメータに変更した後、後続して入力される画像データを該第１の圧縮手段に圧縮させ、
前記第１の圧縮手段により従前に生成された符号化データを、前記第１の圧縮率よりも高い第２の圧縮率に対応する圧縮パラメータで、前記第２の圧縮手段により再圧縮させ、
該再圧縮で得られた符号化データを、前記第１の圧縮手段に適用する圧縮パラメータを更新した後の該第１の圧縮手段により生成された符号化データとして保存させ、
前記圧縮パラメータを更新した後で前記第１の圧縮手段により生成された符号化データを、後続の符号化データとして保存させる制御手段とを備える。